(57)【要約】【解決手段】使用済みの注射針Ｐを嵌入する嵌入筒部２を設けたケース１を設ける。該ケース１の内部で嵌入筒部２に交わる押圧筒部３を形成する。ケース１の外側から該押圧筒部３に挿入され嵌入筒部２に嵌入した注射針Ｐ側面に押圧する押圧片４を設ける。押圧片４の先端部で注射針Ｐ先端を強制的に屈曲する。ケース１内部で押圧片４に係合し、押圧片４の位置を、注射針Ｐ先端を屈曲した位置で固定する固定ストッパー５を装着する。押圧片４の押圧方向外側面に、該ケース１を立設支持する載置面１Ａを形成する。ケース１載置時に押圧片４の押圧方向を略鉛直下方に設定する。【効果】注射針を安全且つ容易に変形させることができる。安価な提供が可能になる。変形した注射針を保護した状態で安全に廃棄処分することができる。【選択図】  図１
2004254743.tif 000002
【特許請求の範囲】
【請求項１】
使用済みの注射針先端を嵌入する嵌入筒部を設けたケースと、該ケースの外側からケースの内部に挿入され、嵌入筒部に嵌入した注射針側面に押圧する押圧片とからなり、押圧片の先端部で注射針先端を強制的に屈曲することを特徴とする注射針用廃棄処理具。
【請求項２】
前記押圧片は、ケースの内部で嵌入筒部に略直交する押圧筒部に挿入されると共に、該押圧片にケース内部で係合し、注射針先端を屈曲した押圧片を該屈曲位置に固定する固定ストッパーを装着した請求項１記載の注射針用廃棄処理具。
【請求項３】
前記ケースにおいて、前記押圧片の押圧方向外側面に、該ケースを立設支持する載置面を形成し、ケース載置時に押圧片の押圧方向を略鉛直下方に設定した請求項１又は２記載の注射針用廃棄処理具。
【請求項４】
前記ケースは透明な合成樹脂材で形成され、ケース内部に挿入された前記注射針と押圧片とを目視するように設けた請求項１乃至３いずれか記載の注射針用廃棄処理具。
【請求項５】
前記押圧片は、ケースの内部で注射針側面を長手方向に沿って押圧するように設け、該押圧片にケース内部で嵌合する固定ストッパーと、注射針の先端部を挟着固定する弾性体とを設けた請求項１記載の注射針用廃棄処理具。
【発明の詳細な説明】
【０００１】
【発明の属する技術分野】
本発明は、使用済みの注射針を安全に廃棄することができ、注射針からの感染事故を防止するのに好適な注射針用廃棄処理具に関する。
【０００２】
【従来の技術】
使用済みの注射針を廃棄する際に、注射針の再使用を防止するために、注射針を変形させて処理する装置が特許文献１乃至特許文献３に記載されている。
【０００３】
特許文献１記載の変形装置は、注射針の先端を一対のチャック爪で固定し、注射針を強制的に巻込んで変形せしめ、変形した注射針のみを廃棄処理する装置である。
【０００４】
また、特許文献２には、一対の異形ローラの間に注射針を差し込み、この異形ローラの回転で注射針の側面を変形させる処理装置が記載されている。異形ローラの下には、変形した注射針を収容するケースを備えてあり、このケースに収納された複数の注射針を回収し、まとめて廃棄処理するようにしている。
【０００５】
さらに、特許文献３に記載された廃棄処理具は、注射針を包み込むキャップの内部に変形手段を備えたものである。変形手段の一つは、キャップ内部に設けた硬質材に注射針の先端を強制的に突き当てて変形させるものである。また、他の変形手段は、キャップの側面を貫通する軸片を設け、この軸片に挿入した注射針の先端を、軸片に設けたつまみで強制的に曲げる手段が記載されている。
【０００６】
【特許文献１】
特開平２‐５９５０号公報
【特許文献２】
特公平７‐４９０５６号公報
【特許文献３】
特開平９−１９４９８号公報
【０００７】
【発明が解決しようとする課題】
特許文献１の変形装置では、注射針の先端をチャック爪で固定して強制的に巻込み、変形させることができる。ところが、変形した後の注射針を改めて回収し注射針のみを廃棄処理するものである。したがって、注射針の変形作業を安全に行えたとしても、変形した注射針を回収し、廃棄処理する作業では、再び危険性が伴う不都合があった。
【０００８】
特許文献２に記載された処理装置では、注射針を変形せしめる異形ローラと、変形した注射針を収容するケースとを一体に設けた装置である。そして、変形した注射針を一旦ケース内に収容し、その後、ケース内の変形針を回収してまとめて廃棄処理するように設けているので、前記特許文献１と同様に、変形した注射針の廃棄工程で危険性が伴うものである。
【０００９】
しかも、これら特許文献１、２の装置では、同一の装置を用いて多数の注射針を次々と処理するものであるから、使用済みの注射針から排出される血液等によって、これらの装置が次第に汚染されることになり、これらの装置自体が極めて危険な存在になってしまう。そのため、装置のメンテナンスが必要になるのみならず、装置のメンテナンス作業時において、これらの装置を介して感染する恐れもある。
【００１０】
そこで、このような回収時等の危険を防止するには、注射針を変形せしめる装置ごと処分するのが最も安全である。ところが、特許文献１、２のいずれの装置においても、装置ごと廃棄する設計にはなっていない。すなわち、特許文献１では、注射針を変形させるチャック爪やラックアンドピニオン機構を備え、また、特許文献２では、異形ローラに加えて、回転用モータなどを装着しているので、これらの装置ごと廃棄することはできない。
【００１１】
一方、特許文献３記載の廃棄処理具は、注射針を保護する保護筒体を設け、この保護筒体の内部先端部に設けた変形手段にて針先を変形させる構成を採用し、変形した注射針を保護筒体のまま廃棄できるようにしている。ところが、この廃棄処理具における変形手段の一つは、注射器に連結した注射針を保護筒体の内部に押し込み、注射針の針先を保護筒体内部の硬質部片に強制的に突き当てて曲げる構成なので、注射針を曲げるまでには、かなり強い押圧力が必要になる。したがって、この廃棄処理具を使用しても、誰もが容易に注射針を変形せしめるまでには至っていなかった。仮に、非力な者が、注射針を無理に押し込むと、注射針が曲がる前に保護筒体が外れるなど、思わぬ怪我を被ったり、外れた注射針で感染する可能性もある。
【００１２】
また、特許文献３では、他の変形手段として、軸片に挿入した注射針の先端を軸片に設けたつまみで強制的に曲げる手段を採用している。この場合、硬質部片に強制的に突き当てる前記手段より、つまみを曲げる手指の力が必要になり、このつまみで注射針の先端を折り曲げるには、よほど力の強い者に限られる不都合がある。このように、特許文献３に記載された廃棄処理具では、注射針を処理具ごと廃棄処理することが可能になっていても、注射針を安全且つ容易に変形せしめる作業に多くの課題を残していた。
【００１３】
そこで本発明は上述の課題を解消すべく創出されたもので、注射針を安全且つ容易に変形させることができ、しかも、安価な提供が可能になり、変形した注射針と共に廃棄処分することができる注射針用廃棄処理具の提供を目的とするものである。
【００１４】
【課題を解決するための手段】
上述の目的を達成すべく本発明の第１の手段は、使用済みの注射針Ｐを嵌入する嵌入筒部２を設けたケース１と、該ケース１の外側からケース１の内部に挿入され、嵌入筒部２に嵌入した注射針Ｐ側面に押圧する押圧片４とからなり、押圧片４の先端部で注射針Ｐ先端を強制的に屈曲することにある。
【００１５】
第２の手段の押圧片４は、ケース１の内部で嵌入筒部２に略直交する押圧筒部３に挿入されると共に、該押圧片４に前記ケース１内部で係合し、注射針Ｐ先端を屈曲した押圧片４を該屈曲位置に固定する固定ストッパー５を装着している。
【００１６】
第３の手段は、前記ケース１において、前記押圧片４の押圧方向外側面に、該ケース１を立設支持する載置面１Ａを形成し、ケース１載置時に押圧片４の押圧方向を略鉛直下方に設定する。
【００１７】
第４の手段の前記ケース１は透明な合成樹脂材で形成され、ケース１内部に挿入された前記注射針Ｐと押圧片４とを目視できるように設けてある。
【００１８】
第５の手段の押圧片４は、ケース１の内部で注射針Ｐ側面を長手方向に沿って押圧するように設け、該押圧片４にケース１内部で嵌合する固定ストッパー５と、注射針Ｐの先端部を挟着固定する弾性体８とを設けたことを課題解消のための手段とする。
【００１９】
本発明によると、ケース１の嵌入筒部２に挿入した注射針Ｐの先端部側面を、押圧筒部３に挿入した押圧片４で強制的に押圧することで、注射針Ｐを容易に曲げることができる。そして、押圧片４が注射針Ｐを屈曲した状態のままケース１ごと注射針Ｐを廃棄処分するものである。
【００２０】
【発明の実施の形態】
以下、図面を参照して本発明の実施の形態を詳細に説明する。本発明廃棄処理具の主要構成は、注射針Ｐの先端部を挿入するケース１と、注射針Ｐ先端部を側面から押圧して屈曲せしめる押圧片４とからなる（図１参照）。
【００２１】
ケース１には、注射針Ｐの先端部を挿入せしめる嵌入筒部２を形成している。この嵌入筒部２は、使用済みの注射針Ｐ先端をケース１の内部に嵌入する筒状を成し、嵌入筒部２の底部分、すなわち、嵌入した注射針Ｐの先端がわで押圧筒部３と略直交している（図２参照）。図示例では、合成樹脂材で略ブロック状のケース１を形成し、このケース１の一部を開穿し、有底筒状の導入筒部２と押圧筒部３とを形成している。
【００２２】
一方、嵌入筒部２に略直交する押圧筒部３に押圧片４を挿入せしめてある。すなわち、ケース１の外部から押圧片４を押し込むことで、嵌入筒部２に挿入した注射針Ｐの側面に押圧片４を押圧できるように形成している。嵌入筒部２に略直交する押圧筒部３の角度は、嵌入筒部２に対して９０°の角度でもよいが、図示例では，わずかに注射針Ｐの先端方向から押圧する角度に設定している。こうすることで、より少ない力で注射針Ｐの先端を折り曲げることが可能になる。図示の角度は注射針Ｐの先端方向に約５°程度傾けている。この押圧筒部３は有底筒状を成し、注射針Ｐから排出された血液や液体がケース１の内部から漏れ出ないように形成している。尚、この押圧筒部３を形成せずに、押圧片４を直接ケース１内部に挿入するような構成に変更ことも可能である。
【００２３】
図示の押圧片４には、押し込みを容易にする為に、押圧片４の基端部に加圧面４Ａを設けている（図１参照）。この加圧面４Ａは、押圧片４の基端面を二方向に延長した帯状を成すもので、押圧片４基端部の押圧面積を拡大している。この加圧面４Ａを指で押圧することで、押圧片４の先端が注射針Ｐの先端側部を押圧し、注射針Ｐ先端を強制的に屈曲せしめるものである。
【００２４】
固定ストッパー５は、ケース１内部で前記押圧片４に係合し、注射針Ｐ先端を屈曲せしめた押し込み位置で押圧片４を固定する（図４参照）。図示の固定ストッパー５は、押圧片４の側面から延長された一対の弾性帯材にて形成している（図１参照）。そして、押圧片４の両端部をケース１の内部に形成した係止凹部１Ｄ内にそれぞれ突き当てておき（図３参照）、この押圧片４の両端部の位置よりも押圧片４を押し込んだときに、固定ストッパー５全体が押圧片４の基端部で略楔状に変形し、押圧片４が戻らないように設けている（図４参照）。このとき、前記押圧筒部３を形成すると共に、固定ストッパー５を設けた押圧片４を押圧筒部３に挿入することで、押圧片４の位置及び固定ストッパー５の支持作用を正確にコントロールすることが可能になり、注射針Ｐの先端が屈曲した位置で、押圧片４を確実に固定することができる。尚、固定ストッパー５の形状や位置は図示例に限られるものではなく、押し込んだ押圧片４をその位置で固定できるものであればよい。例えば、屈曲した注射針Ｐの先端と押圧片４の先端とを押圧筒部３内部で共に挟着する構造など、固定ストッパー５の形状や構造等は任意に変更できるものである。
【００２５】
ケース１の外側面に載置面１Ａを形成している。この載置面１Ａは、前記押圧片４の押圧方向の外側面に形成してあり、該載置面１Ａにてケース１を立設したときに、押圧片４の押圧方向が鉛直下方に向くように設定する。この載置面１Ａは、例えば注射針Ｐの径が太い場合や非力な者でも屈曲し易くするもので、安定した台などに載置面１Ａを載置し、押圧片４の真上から押圧片４を押し込めるようにしている。但し、通常の操作は、ケース１を持った手で押圧片４を押し込む操作のみで、注射針Ｐを容易に曲げることができる。
【００２６】
図示例では、注射針Ｐをさし込む方向の外部側面にも載置面１Ｂを形成している（図２参照）。これにより、注射針Ｐを嵌入筒部２に挿入する際に、嵌入筒部２の開口部を上にして立設し、安定した状態で行うことができるので、安全な作業ができる。また、符号１Ｃは、ケース１内部に押し込んだ押圧片４を無理に引き戻すことができないようにするガード突起である（図４参照）。このガード突起１Ｃを加圧面４Ａの長手両端部付近に突設しておくことで、一旦押し込んだ押圧片４を悪戯等で引き戻すことを困難にし、安全性をより高めるものである。
【００２７】
ケース１の材質は特に限定されないが、ケース１内部に挿入された注射針Ｐや押圧片４の位置などを確認できるようにするために、ケース１を透明な合成樹脂材で形成するのが好ましい。図示のケース１は、略立方体状を成したケース１に導入筒部２、押圧筒部３、係止凹部１Ｄを形成し、透明な蓋体７で施蓋することで、ケース１の正面と背面から嵌入筒部２及び押圧筒部３が覗けるように設けている（図１参照）。尚、ケース１の形状や構造は任意に変更できるものである。
【００２８】
図５に示す押圧片４は、ケース１の内部で注射針Ｐ側面を長手方向に沿って押圧するように設けてある。このような押圧片４によると、特に、径の太い注射針Ｐを曲げるのに好適である。図示の押圧片４と注射針Ｐとの接触角度は、１７°に設定しているが、この接触角度は鋭角の範囲内であればよい。更に、押圧片４にケース１内部で係合する固定ストッパー５と、注射針Ｐの先端部を挟着固定する弾性体８とを設けている。
【００２９】
同図の押圧片４は、押圧筒部３をスライドする球体状の先端部４Ｂと、押圧片４の側面に交差状に重合した接触部４Ｃとを設けてあり接触部４Ｃの先端で注射針Ｐの側面をしごくように押圧する。尚、押圧片４の形状は図示例に限られるものではない。また、固定ストッパー５は、例えばポリカーボンなどの材質で、先端部４Ｂに強制嵌合するタイプの固定ストッパー５を使用している。さらに、弾性体８は、例えばゴム材のような反発力のある材質で注射針Ｐの先端を強制嵌入せしめる筒状に形成する。図中、符号８Ａは、弾性体８の外周に抜け止め用として設けた突起８Ａである。図示例によると、注射針Ｐは弾性体８に固定されると共に、注射針Ｐの側面は押圧片４にて強制的に押圧されて屈曲され、押圧片４自体は固定ストッパー５に保持固定される結果、注射針Ｐとケース１とが一体化するものである。
【００３０】
【発明の効果】
本発明は、上述の如く構成したことにより、当初の目的を達成する。
【００３１】
すなわち、押圧片４の先端部で注射針Ｐ先端を強制的に屈曲することにより、注射針を安全且つ容易に変形させることができる。更に、ケース１の内部に設けた嵌入筒部２と押圧片４で注射針Ｐの先端を屈曲する構造によって、極めて安価な提供が可能になり、ケース１ごと注射針Ｐを廃棄処理することができる。
【００３２】
また、ケース１の内部で嵌入筒部２に略直交する押圧筒部３に挿入されると共に、該押圧片４に係合し、ケース１内部で注射針Ｐ先端を屈曲した位置に固定する固定ストッパー５を装着しているので、先端を折り曲げた注射針Ｐとケース１とを一体にした状態に固定することができる。しかも、注射針Ｐの先端をケース１で保護した状態で廃棄処理するため、多数の注射針Ｐをまとめて廃棄する場合でも安全性は極めて高い。
【００３３】
更に、ケース１を立設支持する載置面１Ａを形成し、ケース１載置時に押圧片の押圧方向を鉛直下方に設定したことにより、ケース１を所定面に載置した状態での押圧片４の挿入作業を安全に行うことが可能になる。しかも、注射針Ｐ側面を嵌入筒部２で固定し、この注射針Ｐの先端側面に、鉛直下方に押圧する押圧片４の押圧力が略直交する方向で集中し、非力な者でも注射針Ｐ先端を簡単に屈曲することができる。
【００３４】
そしてケース１は透明な合成樹脂材で形成され、ケース１内部に挿入された前記注射針Ｐと押圧片４とを目視可能にすることで、注射針Ｐの嵌入作業や押圧片４による押圧操作などを確認しながら安全に行うことが可能である。また、注射針Ｐの先端が曲がった状態が見えることで、再使用のためにケース１から注射針Ｐを抜き出すなどといった不正な動機を抑止する効果もある。
【００３５】
一方、押圧片４を、ケース１の内部で注射針Ｐ側面を長手方向に沿って押圧するように設け、該押圧片４にケース１内部で係合する固定ストッパー５と、注射針Ｐの先端部を挟着固定する弾性体８とを設けたことにより、特に、径の太い注射針Ｐでも容易に屈曲することができる。
【００３６】
このように本発明によると、注射針を安全且つ容易に変形させることができ、安価な提供が可能になり、しかも、変形した注射針を保護した状態で極めて安全に廃棄処分することができるなどといった種々の効果を奏する。
【図面の簡単な説明】
【図１】本発明の一実施例を示す分解斜視図。
【図２】本発明の一実施例を示す正面図。
【図３】本発明の嵌入筒部に注射針を挿入した状態を示す正面図。
【図４】本発明の押圧片で注射針を屈曲した状態を示す正面図。
【図５】本発明の他の実施例を示す正面図。
【符号の説明】
Ｐ  注射針
１  ケース        １Ａ  載置面
１Ｂ  載置面
１Ｃ  ガード突起
１Ｄ  係止凹部
２  嵌入筒部
３  押圧筒部
４  押圧片        ４Ａ  加圧面
４Ｂ  先端部
４Ｃ  接触部
５  固定ストッパー
６  載置面
７  蓋体
８  弾性体        ８Ａ  突起
【図１】
2004254743.tif 000003
【図２】
2004254743.tif 000004
【図３】
2004254743.tif 000005
【図４】
2004254743.tif 000006
【図５】
2004254743.tif 000007